(57)【特許請求の範囲】
【請求項１】
光ディスクのトラックにあるウォブルから得られるウォブル信号に同期したウォブル基準信号と、一定周期のクロックとを入力とし、前記ウォブル基準信号の周期を前記一定周期のクロックでカウントする第１のウォブル周期カウント部と、
前記ウォブル基準信号と、光ディスクから得られるデータに同期したデータ同期クロックとを入力とし、前記ウォブル基準信号の周期を前記データ同期クロックでカウントする第２のウォブル周期カウント部と、
前記第１のウォブル周期カウント部の出力するカウント値と、前記第２のウォブル周期カウント部の出力するカウント値との差を求める比較部と、
前記比較部により求めたカウント値の差が、予め設定した値の範囲内に含まれるか否かを判定し、データ同期クロックの変動の如何を示す判定結果を出力する比較結果判定部とを備えたことを特徴とする光ディスク装置。
【請求項２】
請求項１に記載の光ディスク装置において、
前記比較結果判定部の出力する判定結果を、連続した前記ウォブル基準信号の周期ごとに比較して、前記比較結果判定部の出力する判定結果が一時的なものであるか連続的なものであるかを判定する連続状態判定部を備えたことを特徴とする光ディスク装置。
【請求項３】
請求項１または２に記載の光ディスク装置において、
前記第１のウォブル周期カウント部の出力するカウント値を、連続した前記ウォブル基準信号の周期ごとに比較して、ウォブル基準信号の変動を検出するウォブル周期判定部を備えたことを特徴とする光ディスク装置。
【請求項４】
請求項１から３のいずれかに記載の光ディスク装置において、
光ディスクから得られるデータから同期コードを検出する同期コード検出部と、
該同期コード検出部で検出された同期コードが一定のデータ長毎に入力されているか否かを前記データ同期クロックを用いて検出し、同期コードが一定のデータ長毎に入力されている場合は、データが記録されている領域から信号が読み出されていることを示す検出結果を出力し、同期コードが一定のデータ長ごとに入力されていない場合は、データが記録されていない領域から信号が読み出されていることを示す検出結果を出力するデータ同期状態検出部とを備えたことを特徴とする光ディスク装置。
【発明の詳細な説明】
【０００１】
【発明の属する技術分野】
本発明は、光ディスク装置に関し、特に、速やかにデータ同期クロックの生成を制御することを可能とする光ディスク装置に関するものである。
【０００２】
【従来の技術】
光ディスクには、トラックに一定の周波数で波打つグルーブ（ｇｒｏｏｖｅ）とよばれる溝が刻まれており、光ディスク装置は、光ディスクにセクタが割り当てられていない状態であっても、この溝の波（ウォブル）をカウントすることで光ディスク上の絶対アドレスを算出することができる。また、一般的な光ディスク装置では、ウォブルから得られるウォブル信号を基準として光ディスクの回転を制御している。
【０００３】
図６は例えば特許文献１に開示された従来の一般的な光ディスク装置の構成を簡略化して示すブロック図である。図６に示す光ディスク装置は、光ピックアップ２と、スピンドルモータ３と、ウォブル信号検出器４と、第１ＰＬＬ回路５と、制御回路６と、再生信号検出器７と、第２ＰＬＬ回路８とを備える。
【０００４】
ウォブル信号検出器４は光ピックアップ２の出力信号からウォブル（ｗｏｂｂｌｅ）信号を取り出す。第１ＰＬＬ（Ｐｈａｓｅ  Ｌｏｃｋｅｄ  Ｌｏｏｐ）回路５は、ウォブル信号検出器４からウォブル信号Ｓ１０１を入力し、このウォブル信号Ｓ１０１に同期したウォブル基準信号Ｓ１０４を生成する。制御回路６はウォブル基準信号Ｓ１０４の周波数と位相とが所定値になるように光ディスク１を回転させているスピンドルモータ３を制御する。
【０００５】
再生信号検出器７は光ピックアップ２により読み出された、光ディスク１に記録されている情報から再生信号（アナログ信号）を取り出し、その再生信号を２値化してＲＦエンベローブ信号Ｓ１１０を生成し、復調器（図示せず）に出力する。また、再生信号から光ディスク１上に傷があることを検出した時は、傷検出信号Ｓ１１８を第２ＰＬＬ回路８に出力する。第２ＰＬＬ回路８はＲＦエンベローブ信号Ｓ１１０を用いてデータ同期クロックＳ１０３を生成する。データ同期クロックＳ１０３は復調器に動作クロックとして入力される。以下、第２ＰＬＬ回路８の構成と動作について図７を用いて詳細に説明する。
【０００６】
図７に示すように、第２ＰＬＬ回路８は、チャージポンプ制御部８０１と、チャージポンプ８０２と、フィルター８０３と、ＶＣＯ（ｖｏｌｔａｇｅ−ｃｏｎｔｒｏｌｌｅｄ  ｏｓｃｉｌｌａｔｏｒ）８０４とを備える。チャージポンプ制御部８０１は、ＲＦエンベローブ信号Ｓ１１０とＶＣＯ８０４が出力するデータ同期クロックＳ１０３に基づいて、チャージポンプ８０２を制御するチャージポンプ制御信号Ｓ２０１を出力する。チャージポンプ８０２は、チャージポンプ制御信号Ｓ２０１に基づいて、ＶＣＯ８０４の発振周波数を決定する第１のＶＣＯ制御信号Ｓ２０２を出力する。フィルター８０３は、第１のＶＣＯ制御信号Ｓ２０２からＶＣＯの発振に必要としないノイズ成分を除去し、第２のＶＣＯ制御信号Ｓ２０３を出力する。ＶＣＯ８０４は第２のＶＣＯ制御信号Ｓ２０３に対応した発振周波数のデータ同期クロックＳ１０３を出力する。以上の動作により、第２のＰＬＬ回路８は、データ同期クロックＳ１０３を、その位相及び周波数をＲＦエンベローブ信号Ｓ１１０の位相及び周波数に合わせて出力することができる。一方、チャージポンプ制御部８０１は再生信号検出器７から傷検出信号Ｓ１１８を入力した場合は、ＶＣＯ８０４が出力するデータ同期クロックＳ１０３のみに基づいてチャージポンプ制御信号Ｓ４０１を生成してチャージポンプ８０２に出力する。これにより、第２ＰＬＬ回路８はホールドの状態になり、データ同期クロックＳ１０３を、その位相及び周波数をＲＦエンベローブ信号Ｓ１１０の位相及び周波数に合わせず、状態を保持して出力することができる。
【０００７】
【特許文献１】
特開平１１−１６９２５号公報（第２−４頁、第４図）
【０００８】
【発明が解決しようとする課題】
以下、上述の従来の光ディスク装置がデータ同期クロックを生成する際に生じる問題点について説明する。
【０００９】
光ディスク１には所定領域当り一定のデータ量で記録されていて、光ディスク１上におけるデータの配置は必ずしも連続的にはならない。従って、光ディスク１にはデータが記録されていないデータ未記録領域が存在することになる。これにより、光ディスク１から得られる再生信号は、データが含まれない無信号期間を含む間欠信号となる。この無信号期間内において光ピックアップ２により読み出される情報には、データは含まれていないが、未記録状態でのディスクノイズ、再生光として用いる半導体レーザの光ノイズ、及び再生信号検出器７内で生じるアンプノイズなどは含まれる。よって、第２ＰＬＬ回路８がこれらのノイズを含むＲＦエンベローブ信号を用いてデータ同期クロックを生成するとその周波数が大きく変動する。従来の光ディスク装置では、光ピックアップ２による情報の読み出し位置がデータ未記録領域からデータ記録済み領域へ移行した時、第２ＰＬＬ回路８が発振周波数を再生信号に同期した正しい周波数に引き込もうとするが、データ未記録領域からの情報読み出し期間中にデータ同期クロックＳ１０３の周波数が大きく変動していると、それを正しい周波数に同期させるまでの引き込み時間、すなわち、同期を確立させるまでの時間が長くなり、記録情報の読み出し誤りが増大するという問題が生じた。
【００１０】
本発明は前記のような問題点を解消するためになされたものであり、光ピックアップによる情報の読み出し位置がデータ未記録領域とデータ記録済み領域との間で移動した時に、速やかにデータ同期クロックの生成を制御することができる光ディスク装置を提供することを目的とする。
【００１１】
【課題を解決するための手段】
本発明（請求項１）に係る光ディスク装置は、光ディスクのトラックにあるウォブルから得られるウォブル信号に同期したウォブル基準信号と、一定周期のクロックとを入力とし、前記ウォブル基準信号の周期を前記一定周期のクロックでカウントする第１のウォブル周期カウント部と、前記ウォブル基準信号と、光ディスクから得られるデータに同期したデータ同期クロックとを入力とし、前記ウォブル基準信号の周期を前記データ同期クロックでカウントする第２のウォブル周期カウント部と、前記第１のウォブル周期カウント部の出力するカウント値と、前記第２のウォブル周期カウント部の出力するカウント値との差を求める比較部と、前記比較部により求めたカウント値の差が、予め設定した値の範囲内に含まれるか否かを判定し、データ同期クロックの変動の如何を示す判定結果を出力する比較結果判定部とを備えたものである。
【００１２】
また、本発明（請求項２）に係る光ディスク装置は、請求項１記載の光ディスク装置において、前記比較結果判定部の出力する判定結果を、連続した前記ウォブル基準信号の周期ごとに比較して、前記比較結果判定部の出力する判定結果が一時的なものであるか連続的なものであるかを判定する連続状態判定部を備えたものである。
【００１３】
また、本発明（請求項３）に係る光ディスク装置は、請求項１または２に記載の光ディスク装置において、前記第１のウォブル周期カウント部の出力するカウント値を、連続した前記ウォブル基準信号の周期ごとに比較して、ウォブル基準信号の変動を検出するウォブル周期判定部を備えたものである。
【００１４】
また、本発明（請求項４）に係る光ディスク装置は、請求項１から３のいずれかに記載の光ディスク装置において、光ディスクから得られるデータから同期コードを検出する同期コード検出部と、該同期コード検出部で検出された同期コードが一定のデータ長毎に入力されているか否かを前記データ同期クロックを用いて検出し、同期コードが一定のデータ長毎に入力されている場合は、データが記録されている領域から信号が読み出されていることを示す検出結果を出力し、同期コードが一定のデータ長ごとに入力されていない場合は、データが記録されていない領域から信号が読み出されていることを示す検出結果を出力するデータ同期状態検出部とを備えたものである。
【００１５】
【発明の実施の形態】
本発明の光ディスク装置は、光ピックアップによる情報の読み出し位置がデータ未記録領域かデータ記録済み領域かを判定し、その判定結果をデータ同期クロックの生成を制御するためのクロック制御信号として出力するクロック制御装置を備えることを特徴とする。
【００１６】
（実施の形態１）
以下、本発明の実施の形態１に係る光ディスク装置について説明する。
図１は、本実施の形態１に係る光ディスク装置が有するクロック制御装置１０１の構成を示すブロック図である。図１に示すクロック制御装置１０１は、ウォブル基準信号生成装置７０１と、第１のウォブル周期カウント装置７０２と、第２のウォブル周期カウント装置７０３と、カウント値比較装置７０４と、比較結果判定装置７１０とを備える。ウォブル基準信号生成装置７０１は、ウォブル信号Ｓ１０１を入力し、ウォブル信号Ｓ１０１に同期したウォブル基準信号Ｓ１０４を生成する。ウォブル信号Ｓ１０１は、従来例で説明したように、ウォブル信号検出器が光ピックアップの出力信号から取り出した信号である。第１のウォブル周期カウント装置７０２は、外部から一定周期で供給される固定サイクルクロックＳ１０２を、ウォブル基準信号Ｓ１０４の周期の間カウントし、カウント結果を第１のウォブル周期信号Ｓ１０５として出力する。第２のウォブル周期カウント装置７０３は、データ同期クロックＳ１０３を、ウォブル基準信号Ｓ１０４の周期の間カウントし、カウント結果を第２のウォブル周期カウント信号Ｓ１０６として出力する。データ同期クロックＳ１０３は、従来例で説明したように、ＲＦエンベローブ信号に基づいてＰＬＬ回路が作成する同期クロックである。カウント値比較装置７０４は第１のウォブル周期カウント信号Ｓ１０５と第２のウォブル周期カウント信号Ｓ１０６とを比較し、カウント値比較結果Ｓ１０７を出力する。比較結果判定装置７１０は、カウント値比較結果Ｓ１０７の値が予め設定した値の範囲内に入るか否かを判定して、その判定結果を比較結果判定信号Ｓ１１７として出力する。なお、この予め設定する値の範囲としては、例えば、安定しているデータ同期クロックＳ１０３がとりうる周期の上限と下限とを設定し、データ同期クロックＳ１０３が上限と下限のそれぞれの周期を有する場合における第２のウォブル周期カウント信号Ｓ１０６と第１のウォブル周期カウント信号Ｓ１０５との差を、それぞれ求め、この求めた結果を上限及び下限とした範囲を設定する。
【００１７】
図８は、クロック制御装置１０１において扱われる信号を模式的に示した図であり、図１と同一符号は同一または相当する信号を示している。なお、図８において、第１のウォブル周期カウント信号Ｓ１０５の波形図及び第２のウォブル周期カウント信号Ｓ１０６の波形図の縦軸はカウント値を示している。
【００１８】
以下、クロック制御装置１０１の動作について説明する。まず、ウォブル基準信号生成装置７０１がウォブル信号Ｓ１０１からこのウォブル信号Ｓ１０１の周期に相当する周期のウォブル基準信号Ｓ１０４を生成する。
【００１９】
次に、第１のウォブル周期カウント装置７０２が、ウォブル基準信号Ｓ１０４の周期を固定サイクルクロックＳ１０２でカウントして第１のウォブル周期カウント信号Ｓ１０５を生成し、カウント値比較装置７０４に出力する。
【００２０】
次に、第２のウォブル周期カウント装置７０３が、ウォブル基準信号Ｓ１０４の周期を、データ同期クロックＳ１０３でカウントして第２のウォブル周期カウント信号Ｓ１０６を生成し、カウント値比較装置７０４に出力する。
【００２１】
そして、カウント値比較装置７０４が、第１のウォブル周期信号Ｓ１０５と第２のウォブル周期信号Ｓ１０６とをウォブル基準信号Ｓ１０４の周期ごとに比較し、その差を求めてカウント値比較結果Ｓ１０７として出力する。
【００２２】
光ピックアップが光ディスクのデータ記録済み領域から情報を読み出している時、データ同期クロックＳ１０３の周期は安定している。また、固定サイクルクロックＳ１０２も周期が一定である。また、第１のウォブル周期カウント信号Ｓ１０５と第２のウォブル周期カウント信号Ｓ１０６とは、同一のウォブル基準信号Ｓ１０４を、データ同期クロックＳ１０３と、固定サイクルクロックＳ１０２とでそれぞれカウントした結果である。よって、この時、第１のウォブル周期カウント信号Ｓ１０５と第２のウォブル周期カウント信号Ｓ１０６との差を示すカウント値比較結果Ｓ１０７は、ウォブル同期信号の周期に応じてほぼ一定の、安定した値となる。
【００２３】
一方、光ピックアップが光ディスクのデータ未記録領域から情報を読み出している時、データ同期クロックＳ１０３は乱れる。このため、第１のウォブル周期カウント信号Ｓ１０５と第２のウォブル周期カウント信号Ｓ１０６との差を示すカウント値比較結果Ｓ１０７は、データ同期クロックＳ１０３の乱れに対応して大きく変動し、安定したデータ同期クロックＳ１０３が得られていた期間、すなわちデータ記録済み領域から情報が読み出されていた期間とは異なった値となる。
【００２４】
比較結果判定装置７１０は、カウント値比較結果Ｓ１０７を入力すると、カウント値比較結果Ｓ１０７の値が上述した予め設定した値の範囲内に含まれるか否かを判定する。ここで、データ未記録領域から情報が読み出されている期間は、データ同期クロックＳ１０３は本来のクロックから大きく変動するため、カウント値比較結果Ｓ１０７の値は上述した範囲内に入らない。一方、データ記録済み領域から情報が読み出されている期間は、データ同期クロックは安定しているため、カウント値比較結果Ｓ１０７の値は上述した範囲内に入る。比較結果判定装置７１０は、カウント値比較結果Ｓ１０７の値が上述した範囲内に含まれる場合は、光ピックアップによりデータ記録済み領域から情報が読み出されていると判定して、図８に示すように、Ｌｏｗの状態の比較結果判定信号Ｓ１１７ａを出力する。また、カウント値比較結果Ｓ１０７の値が上述した範囲内に含まれない場合には、光ピックアップによりデータ未記録領域から情報が読み出されていると判定して、図８に示すように、Ｈｉｇｈの状態の比較結果判定信号Ｓ１１７ｂを出力する。比較結果判定信号Ｓ１１７ａ及び比較結果判定信号Ｓ１１７ｂは、従来例に示した第２ＰＬＬ回路８、すなわちデータ同期クロックＳ１０３を生成するＰＬＬ回路の、チャージポンプ制御部８０１にクロック制御信号Ｓ９０１として入力される。
【００２５】
図１３は本発明の実施の形態１における光ディスク装置の全体構成の一例を示す。この図１３は図６と同様の構成の光ディスク装置に、クロック制御装置１０１を備えたものを示す。
図１４は図１３における第２ＰＬＬ回路８の構成の一例を示す。
【００２６】
以下、クロック制御信号Ｓ９０１を入力した第２ＰＬＬ回路８の動作について説明する。第２ＰＬＬ回路８は、クロック制御信号Ｓ９０１としてＬｏｗの状態の比較結果判定信号Ｓ１１７ａを入力した時には、データ同期クロックＳ１０３を、その位相及び周波数をＲＦエンベローブ信号Ｓ１１０の位相及び周波数に合わせて出力する。一方、Ｈｉｇｈの状態の比較結果判定信号Ｓ１１７ｂを入力した時には、チャージポンプ制御部８０１がＶＣＯ８０４の出力であるデータ同期クロックＳ１０３のみに基づいてチャージポンプ制御信号Ｓ２０１を生成してチャージポンプ８０２に出力し、データ同期クロックＳ１０３を、その位相及び周波数をＲＦエンベローブ信号Ｓ１１０の位相及び周波数に合わせずに出力する。以上のように、第２ＰＬＬ回路８は、データ記録済み領域から情報が読み出されている期間は、データ同期クロックＳ１０３を、その位相及び周波数をＲＦエンベローブ信号Ｓ１１０の位相及び周波数に合わせて出力し、データ未記録領域から情報が読み出されている期間は、データ同期クロックＳ１０３を、その位相及び周波数をＲＦエンベローブ信号Ｓ１１０の位相及び周波数に合わせず、状態を保持して出力する。
【００２７】
以上のように、本実施の形態１に係る光ディスク装置では、同一のウォブル基準信号Ｓ１０４を、固定サイクルクロックＳ１０２及びデータ同期クロックＳ１０３でカウントした後、それぞれのカウント結果の差を比較し、そのカウント値比較結果が予め設定した値の範囲内に入るか否かで、光ピックアップにより情報が読み出されている領域がデータ記録済み領域かデータ未記録領域であるかを判定し、その判定結果をデータ同期クロックの生成を制御するクロック制御信号として出力するクロック制御装置１０１を備えるようにした。そして、クロック制御装置１０１が出力するクロック制御信号に基づいてデータ同期クロックを生成するようにした。これにより、光ピックアップにより情報が読み出されている領域がデータ記録済み領域かデータ未記録領域かを精度よく検出することができ、そして、その検出結果に基づいて、光ピックアップによる情報の読み出し位置がデータ未記録領域とデータ記録済み領域との間で移動した時に、速やかにデータ同期クロックの生成を制御することができる。
【００２８】
（実施の形態２）
以下、本発明の実施の形態２に係る光ディスク装置について説明する。
図２は、本実施の形態２に係る光ディスク装置が有するクロック制御装置２０１の構成を示すブロック図であり、図１と同一符号は同一または相当する部分を示している。クロック制御装置２０１は、クロック制御装置１０１に対し、連続状態判定装置７０５と選択装置７１１とをさらに備えるものである。連続状態判定装置７０５は、比較結果判定信号Ｓ１１７及びウォブル基準信号Ｓ１０４を入力するとともに、少なくともウォブル基準信号Ｓ１０４の一周期以上の期間の過去の比較結果判定信号Ｓ１１７を記憶する。そして、ウォブル基準信号Ｓ１０４の周期毎に、比較結果判定信号Ｓ１１７と一周期前の比較結果判定信号Ｓ１１７とを比較し、比較結果判定信号Ｓ１１７が連続して同じ状態を示しているかどうかを判定し、その判定結果を連続状態判定結果信号Ｓ１０８として出力する。選択装置７１１は、連続状態判定結果信号Ｓ１０８に基づいて比較結果判定信号Ｓ１１７をクロック制御信号Ｓ９０１としてＬｏｗの状態で出力するかＨｉｇｈの状態で出力するかを選択する。なお、選択装置７１１は、光ディスク装置全体を制御する制御部（図示せず）から許可制御信号Ｓ３０１を入力した時に以上の動作を行なう。
【００２９】
図９は、クロック制御装置２０１において扱われる信号を模式的に示した図であり、図２及び図８と同一符号は同一または相当する信号を示している。
以下、クロック制御装置２０１の動作を説明する。なお、前記実施の形態１と同一または同様の構成についてはその動作説明を省略する。
【００３０】
連続状態判定装置７０５は、ウォブル基準信号Ｓ１０４のサイクル毎に、入力される比較結果判定信号Ｓ１１７と、この連続状態判定装置７０５内に記憶している一周期前の比較結果判定信号Ｓ１１７とを比較し、これらの連続した状態を経時的に判定して、その判定結果を連続状態判定結果信号Ｓ１０８として出力する。図９に示す例では、比較結果判定信号Ｓ１１７がウォブル基準信号Ｓ１０４の２周期間連続して同じ状態を示したときに、Ｓ１０８ａ→Ｓ１０８ｂのように、連続状態判定結果信号Ｓ１０８を反転させるようにしている。しかし、データ同期クロックＳ１０３の一時的な乱れ等により、比較結果判定信号Ｓ１１７が一周期の期間だけデータ未記録領域であることを示す場合には、連続状態判定結果信号Ｓ１０８は変化しない。これにより、連続状態判定結果信号Ｓ１０８が変化していなければ、比較結果判定信号Ｓ１１７がデータ未記録領域から情報が読み出されていることを示していたとしても、この比較結果判定信号Ｓ１１７はデータ未記録領域の検出結果を示す信号としては誤りであると判定することができる。したがって、連続状態判定結果信号Ｓ１０８の状態を見ることにより、比較結果判定信号Ｓ１１７がデータ未記録領域の検出結果を示す場合に、それがデータ同期クロックの一時的な乱れ等によるものか、光ピックアップが光ディスクのデータ未記録領域から情報を読み出していることによるものかを判定することができる。この判定は、選択装置７１１が、前記制御部から許可制御信号Ｓ３０１を入力した時に行う。そして、選択装置７１１は、比較結果判定信号Ｓ１１７がデータ未記録領域の検出結果を示す信号として誤りでないと判定した時にはＨｉｇｈの状態の比較結果判定信号Ｓ１１７ｂをクロック制御信号Ｓ９０１として出力し、誤りであると判定した時には、Ｌｏｗの状態の比較結果判定信号Ｓ１１７ａをクロック制御信号Ｓ９０１として出力する。クロック制御信号Ｓ９０１はデータ同期クロックＳ１０３を生成するＰＬＬ回路に入力される。
【００３１】
なお、クロック制御信号Ｓ９０１を入力したＰＬＬ回路の動作は実施の形態１と同様であるので説明は省略する。
また、本実施の形態２による光ディスク装置の全体構成および第２ＰＬＬ回路の構成も実施の形態１と同様であるので説明は省略する。
【００３２】
以上のように、本実施の形態２に係る光ディスク装置では、連続状態判定装置７０５と選択装置７１１とをさらに有するクロック制御装置２０１を備え、クロック制御装置２０１が比較結果判定信号Ｓ１１７の変化が一時的なものか連続的なものかを判定し、その判定結果に基づいてクロック制御信号Ｓ９０１を出力するようにした。これにより、比較結果判定信号Ｓ１１７の一時的な乱れによる判定の誤りを軽減してデータ未記録領域をより精度よく検出することができ、そして、その検出結果に基づいて、光ピックアップによる情報の読み出し位置がデータ未記録領域とデータ記録済み領域との間で移動した時に、速やかにデータ同期クロックの生成を制御することができる。
【００３３】
（実施の形態３）
以下、本発明の実施の形態３に係る光ディスク装置について説明する。
図３は、本実施の形態３に係る光ディスク装置のクロック制御装置３０１の構成を示すブロック図であり、図１と同一符号は同一または相当する部分を示している。クロック制御装置３０１は、クロック制御装置１０１に対し、ウォブル周期判定装置７０６と選択装置７１１とをさらに備えたものである。ウォブル周期判定装置７０６はウォブル基準信号Ｓ１０４と第１のウォブル周期カウント信号Ｓ１０５とを入力し、ウォブル基準信号Ｓ１０４の周期毎に、第１のウォブル周期カウント信号Ｓ１０５の値が、予め設定した値の範囲内に入るか否かを連続した状態で判定し、その判定結果をウォブル周期判定信号Ｓ１０９として出力する。なお、予め設定する値の範囲としては、安定した状態にあるとみなすウォブル基準信号Ｓ１０４がとりうる周期の上限及び下限を、固定サイクルクロックＳ１０２でカウントし、その結果得られた値を上限及び下限とする範囲を設定する。また、クロック制御装置３０１において、選択装置７１１は、ウォブル周期判定信号Ｓ１０９に基づいて比較結果判定信号Ｓ１１７をクロック制御信号Ｓ９０１としてＬｏｗの状態で出力するかＨｉｇｈの状態で出力するかを選択する。なお、選択装置７１１は、光ディスク装置全体を制御する制御部（図示せず）から許可制御信号Ｓ３０２を入力した時に以上の動作を行なう。
【００３４】
図１０は、クロック制御装置３０１において扱われる信号を模式的に示した図であり、図３及び図９と同一符号は同一または相当する信号を示している。
以下、クロック制御装置３０１の動作を説明する。なお、前記実施の形態２と同一または同様の構成についてはその動作説明を省略する。
【００３５】
ウォブル周期判定装置７０６は、ウォブル基準信号Ｓ１０４のサイクル毎に、入力される第１のウォブル周期カウント信号Ｓ１０５が上述した範囲内に入るか否かを連続的にみる。そして、上述した範囲内に連続して入る場合には、第１のウォブル周期信号Ｓ１０５が安定していることから、ウォブル基準信号Ｓ１０４が安定していると判定し、ウォブル基準信号Ｓ１０４が安定していることを示すウォブル周期判定信号Ｓ１０９ａを出力する。一方、上述した範囲内に入らない場合には、第１のウォブル周期信号Ｓ１０５が大きく変動しているとみなし、ウォブル基準信号Ｓ１０４が安定していないことを示すウォブル周期判定信号Ｓ１０９ｂを出力する。これにより、ウォブル周期判定信号Ｓ１０９が、ウォブル基準信号Ｓ１０４が安定していないことを示していなければ、比較結果判定信号Ｓ１１７がデータ未記録領域から情報が読み出されていることを示していたとしても、この比較結果判定信号Ｓ１１７はデータ未記録領域の検出結果を示す信号としては誤りであると判定することができる。この判定は、選択装置７１１が、前記制御部から許可制御信号Ｓ３０２を入力した時に行う。そして、選択装置７１１は、比較結果判定信号Ｓ１１７がデータ未記録領域の検出結果を示す信号として誤りでないと判定した場合には、Ｈｉｇｈの状態の比較結果判定信号Ｓ１１７ｂをクロック制御信号Ｓ９０１として出力し、誤りであると判定した場合には、Ｌｏｗの状態の比較結果判定信号Ｓ１１７ａをクロック制御信号Ｓ９０１として出力する。クロック制御信号Ｓ９０１はデータ同期クロックＳ１０３を生成するＰＬＬ回路に入力される。
【００３６】
なお、クロック制御信号Ｓ９０１を入力したＰＬＬ回路の動作は実施の形態１と同様であるので説明は省略する。
また、本実施の形態３による光ディスク装置の全体構成および第２ＰＬＬ回路の構成も実施の形態１と同様であるので説明は省略する。
【００３７】
以上のように、本実施の形態３に係る光ディスク装置では、ウォブル周期判定装置７０６と選択装置７１１とをさらに有するクロック制御装置３０１を備え、クロック制御装置３０１が第１のウォブル周期カウント信号Ｓ１０５が連続して一定の範囲内の値をとるか否かによりウォブル基準信号Ｓ１０４が安定しているか否かを判定し、その判定結果に基づいてクロック制御信号Ｓ９０１を出力するようにした。これにより、データ未記録領域を検出する時に、ウォブル基準信号Ｓ１０４の乱れによる判定の誤りを軽減して、データ未記録領域をより精度よく検出することができ、そして、その検出結果に基づいて、光ピックアップによる情報の読み出し位置がデータ未記録領域とデータ記録済み領域との間で移動した時に、速やかにデータ同期クロックの生成を制御することができる。
【００３８】
（実施の形態４）
以下、本発明の実施の形態４に係る光ディスク装置について説明する。
図４は、本実施の形態４に係る光ディスク装置が有するクロック制御装置４０１の構成を示すブロック図であり、図２及び図３と同一符号は同一または相当する部分を示している。
また、図１１は、クロック制御装置４０１において扱われる信号を模式的に示した図であり、図４及び図１０と同一符号は同一または相当する信号を示している。
【００３９】
クロック制御装置４０１は、クロック制御装置２０１に対し、ウォブル周期判定装置７０６をさらに備えたものである。クロック制御装置４０１において、選択装置７１１は前記制御部から許可制御信号Ｓ３０１及び許可制御信号Ｓ３０２を入力する。そして、前記制御部から前記２つの許可制御信号を入力すると、連続状態判定結果信号Ｓ１０８及びウォブル周期判定信号Ｓ１０９に基づいて比較結果判定信号Ｓ１１７がデータ未記録領域の検出結果を示す信号としては誤り否かを判定する。例えば、連続状態判定結果信号Ｓ１０８が変化していなければ、比較結果判定信号Ｓ１１７がデータ未記録領域から情報が読み出されていることを示していたとしても、この比較結果判定信号Ｓ１１７はデータ未記録領域の検出結果を示す信号としては誤りであると判定する。また、ウォブル周期判定信号Ｓ１０９が、ウォブル基準信号Ｓ１０４が安定していないことを示していれば、比較結果判定信号Ｓ１１７がデータ未記録領域から情報が読み出されていることを示していたとしても、この比較結果判定信号Ｓ１１７はデータ未記録領域の検出結果を示す信号としては誤りであると判定する。これに対して、比較結果判定信号Ｓ１１７がデータ未記録領域から情報が読み出されていることを示し、連続状態判定結果信号Ｓ１０８が変化していて、ウォブル周期判定信号Ｓ１０９が、ウォブル基準信号Ｓ１０４が安定していることを示していれば、選択装置７１１は、この比較結果判定信号Ｓ１１７がデータ未記録領域の検出結果を示す信号として誤りではないと判定する。そして、選択装置７１１は、比較結果判定信号Ｓ１１７がデータ未記録領域の検出結果を示す信号として誤りではないと判定した場合には、Ｈｉｇｈの状態の比較結果判定信号Ｓ１１７ｂをクロック制御信号Ｓ９０１として出力し、誤りであると判定した場合には、Ｌｏｗの状態の比較結果判定信号Ｓ１１７ａをクロック制御信号Ｓ９０１として出力する。クロック制御信号Ｓ９０１はデータ同期クロックを生成するＰＬＬ回路に入力される。
【００４０】
なお、クロック制御信号Ｓ９０１を入力した第２ＰＬＬ回路８の動作は実施の形態１と同様であるので説明は省略する。
また、本実施の形態４による光ディスク装置の全体構成および第２ＰＬＬ回路の構成も実施の形態１と同様であるので説明は省略する。
【００４１】
以上のように、本実施の形態４による光ディスク装置では、クロック制御装置１０１に対し、連続状態判定装置７０５、ウォブル周期判定装置７０６及び選択装置７１１をさらに有するクロック制御装置４０１を備え、クロック制御装置４０１が比較結果判定信号Ｓ１１７の経時的な変化から比較結果判定信号Ｓ１１７の示す状態が一時的な乱れによるものか否かを判定するとともに、第１のウォブル周期カウント信号Ｓ１０５が連続して一定の範囲内の値をとるか否かによりウォブル基準信号Ｓ１０４が安定しているか否かを判定し、その判定結果に基づいてクロック制御信号Ｓ９０１を出力するようにした。これにより、データ未記録領域の検出の際に、比較結果判定信号Ｓ１１７の一時的な乱れによる判定の誤りを軽減できるとともに、ウォブル基準信号Ｓ１０４の乱れによる判定の誤りを軽減でき、より精度の高いデータ未記録領域の検出が可能となる。そして、その検出結果に基づいて、光ピックアップによる情報の読み出し位置がデータ未記録領域とデータ記録済み領域との間で移動した時に速やかにデータ同期クロックの生成を制御することができる。
【００４２】
なお、本実施の形態４では、選択装置７１１として、許可制御信号Ｓ３０１及び許可制御信号Ｓ３０２の両方が入力されるものを用いた場合について説明したが、選択装置７１１は許可制御信号Ｓ３０１及び許可制御信号Ｓ３０２のうちのいずれか一方の許可制御信号を入力し、入力した許可制御信号に基づいて動作するようにしても良い。
【００４３】
（実施の形態５）
以下、本発明の実施の形態５に係る光ディスク装置について説明する。
図５は、本実施の形態５に係る光ディスク装置が有するクロック制御装置５０１の構成を示すブロック図である。図４と同一符号は同一または相当する部分を示している。クロック制御装置５０１は、クロック制御装置４０１に対し、データ読み取り装置７０７と、データ同期状態検出装置７０８とをさらに備えるものである。データ読み取り装置７０７は、ＲＦエンベローブ信号Ｓ１１０及びデータ同期クロックＳ１０３を入力とし、データ同期クロックＳ１０３に基づいて、ＲＦエンベローブ信号Ｓ１１０からデータ同期コードを検出して、このデータ同期コードを検出したタイミングを示すデータ同期コード検出信号Ｓ１１１を生成する。データ同期状態検出装置７０８は、データ同期コード検出信号Ｓ１１１からデータ同期コードが一定のデータ長毎に入力されているか否かをデータ同期クロックＳ１０３を用いて検出し、その検出結果をデータ同期状態検出結果信号Ｓ１１２として出力する。
【００４４】
また、クロック制御装置５０１において、選択装置７１１は、光ディスク装置全体を制御する制御部（図示せず）から許可制御信号Ｓ３０１、許可制御信号Ｓ３０２及び許可制御信号Ｓ３０３を入力する。選択装置７１１は、上記３つの許可制御信号を入力すると、連続状態判定結果信号Ｓ１０８、ウォブル周期判定信号Ｓ１０９及びデータ同期状態検出結果信号Ｓ１１２に基づいて比較結果判定信号Ｓ１１７がデータ未記録領域の検出結果を示す信号としては誤り否かを判定する。そして、その判定結果に基づいて比較結果判定信号Ｓ１１７をクロック制御信号Ｓ９０１としてＬｏｗ状態で出力するかＨｉｇｈの状態で出力するかを選択する。
【００４５】
図１２は、クロック制御装置５０１において扱われる信号を模式的に示した図であり、図５、図１１と同一符号は同一または相当する部分を示している。
以下、クロック制御装置５０１の動作を説明する。なお、前記実施の形態４と同一または同様の構成についてはその動作説明を省略する。
【００４６】
データ読み取り装置７０７は、ＲＦエンベローブ信号Ｓ１１０を入力するとデータ同期クロックＳ１０３を動作クロックとしてデータ中の同期コードを検出し、図１２に示すようなデータ同期コードが検出されたタイミングを示すデータ同期コード検出信号Ｓ１１１を生成する。データ同期状態検出装置７０８は、データ同期クロックＳ１０３を用いてデータ同期コード検出信号Ｓ１１１を読み出し、データ同期コード検出信号Ｓ１１１が示すデータ同期コードの検出タイミングが周期的であるか否かを検出して、データ同期コードが一定のデータ長毎に入力されていることを検出する。そして、その検出結果を図１２に示すようなデータ同期状態検出結果信号Ｓ１１２として出力する。図１２において、データ同期状態検出結果信号Ｓ１１２は、データ同期コードが一定のデータ長毎に検出されなくなったタイミングでＳ１１２ａ→Ｓ１１２ｂと変化している。光ディスクのデータ記録済み領域には同期コードが周期的に記録されているので、光ディスクから読み出した信号が、データ記録済み領域から読み出したものであれば、その信号には同期コードが周期的に含まれる。このため、データ同期コード検出信号Ｓ１１１に基づいて、同期コードが周期的に検出されているか否かを判定することで、光ピックアップにより情報が読み出されている領域がデータ記録済み領域であるか否かを判定することができる。
【００４７】
選択装置７１１は、上記３つの許可制御信号Ｓ３０１、Ｓ３０２及びＳ３０３を入力すると、連続状態判定結果信号Ｓ１０８、ウォブル周期判定信号Ｓ１０９及びデータ同期状態検出結果信号Ｓ１１２に基づいて比較結果判定信号Ｓ１１７がデータ未記録領域の検出結果を示す信号としては誤り否かを判定する。例えば、連続状態判定結果信号Ｓ１０８が変化していなければ、比較結果判定信号Ｓ１１７がデータ未記録領域から情報が読み出されていることを示していたとしても、この比較結果判定信号Ｓ１１７はデータ未記録領域の検出結果を示す信号としては誤りであると判定する。また、ウォブル周期判定信号Ｓ１０９が、ウォブル基準信号Ｓ１０４が安定していないことを示していれば、比較結果判定信号Ｓ１１７がデータ未記録領域から情報が読み出されていることを示していたとしても、この比較結果判定信号Ｓ１１７はデータ未記録領域の検出結果を示す信号としては誤りであると判定する。また、同期コードが周期的に検出されていることをデータ同期状態検出結果信号Ｓ１１２が示していれば、比較結果判定信号Ｓ１１７がデータ未記録領域から情報が読み出されていることを示していたとしても、この比較結果判定信号Ｓ１１７はデータ未記録領域の検出結果を示す信号としては誤りであると判定する。これに対して、比較結果判定信号Ｓ１１７がデータ未記録領域から情報が読み出されていることを示し、連続状態判定結果信号Ｓ１０８が変化していて、ウォブル周期判定信号Ｓ１０９が、ウォブル基準信号Ｓ１０４が安定していることを示し、同期コードが周期的に検出されていないことをデータ同期状態検出結果信号Ｓ１１２が示していれば、選択装置７１１は、この比較結果判定信号Ｓ１１７がデータ未記録領域の検出結果を示す信号として誤りではないと判定する。そして、選択装置７１１は、比較結果判定信号Ｓ１１７がデータ未記録領域の検出結果を示す信号として誤りではないと判定した場合には、Ｈｉｇｈの状態の比較結果判定信号Ｓ１１７ｂをクロック制御信号Ｓ９０１として出力し、誤りであると判定した場合には、Ｌｏｗの状態の比較結果判定信号Ｓ１１７ａをクロック制御信号Ｓ９０１として出力する。クロック制御信号Ｓ９０１はデータ同期クロックを生成するＰＬＬ回路に入力される。
【００４８】
なお、クロック制御信号Ｓ９０１を入力した第２ＰＬＬ回路８の動作は実施の形態１と同様であるので説明は省略する。
また、本実施の形態５による光ディスク装置の全体構成および第２ＰＬＬ回路の構成も実施の形態１と同様であるので説明は省略する。
【００４９】
以上のように、実施の形態５に係る光ディスク装置では、クロック制御装置１０１に対し、連続状態判定装置７０５と、ウォブル周期判定装置７０６と、選択装置７１１と、ＲＦエンベローブ信号Ｓ１１０から同期コードを検出するデータ読み取り装置７０７と、この同期コードが周期的に一定のデータ長ごとに検出されるか否かを検出するデータ同期状態検出装置７０８とをさらに有するクロック制御装置５０１を備え、このクロック制御装置５０１が、比較結果判定信号Ｓ１１７の示す状態が一時的な乱れによるものか否か、ウォブル基準信号Ｓ１０４が安定しているか否か、光ディスクから読み出した信号から同期コードが周期的に検出されるか否かに基づいて、光ピックアップにより情報が読み出されている領域がデータ記録済み領域であるかデータ未記録領域であるかを判定し、その判定結果に基づいてクロック制御信号を出力するようにした。これにより、複数の判定結果を用いて、より精度の高いデータ未記録領域の検出ができ、そして、その検出結果に基づいて、光ピックアップによる情報の読み出し位置がデータ未記録領域とデータ記録済み領域との間で移動した時に速やかにデータ同期クロックの生成を制御することができる。
【００５０】
なお、本実施の形態５では、選択装置７１１として、許可制御信号Ｓ３０１、許可制御信号Ｓ３０２及び許可制御信号Ｓ３０３が入力されるものを用いた場合について説明したが、選択装置７１１はこれら３つの許可制御信号のうちの少なくとも１以上の許可制御信号を入力して、入力した許可制御信号に基づいて動作するようにしても良い。
【００５１】
また、本発明の光ディスク装置は、第１ＰＬＬ回路５と、第２ＰＬＬ回路８と、ウォブル基準信号生成装置７０１とを共用するような構成にしてもよく、これにより、回路規模を縮小することができる。
【００５２】
【発明の効果】
以上のように、この発明（請求項１）によれば、光ディスクのトラックにあるウォブルから得られるウォブル信号に同期したウォブル基準信号と、一定周期のクロックとを入力とし、前記ウォブル基準信号の周期を前記一定周期のクロックでカウントする第１のウォブル周期カウント部と、前記ウォブル基準信号と、光ディスクから得られるデータに同期したデータ同期クロックとを入力とし、前記ウォブル基準信号の周期を前記データ同期クロックでカウントする第２のウォブル周期カウント部と、前記第１のウォブル周期カウント部の出力するカウント値と、前記第２のウォブル周期カウント部の出力するカウント値との差を求める比較部と、前記比較部により求めたカウント値の差が、予め設定した値の範囲内に含まれるか否かを判定し、データ同期クロックの変動の如何を示す判定結果を出力する比較結果判定部とを備えた構成としたから、光ピックアップが読み出している光ディスク上の領域がデータ記録済み領域かデータ未記録領域であるかを正確に判定することができ、データ未記録領域の検出に基づいてデータ同期クロックの生成を制御することにより、光ピックアップによる情報の読み出し位置がデータ未記録領域とデータ記録済み領域との間で移動した時に、速やかにデータ同期クロックの生成を制御することができる。
【００５３】
また、本発明（請求項２）によれば、請求項１記載の光ディスク装置において、前記比較結果判定部の出力する判定結果を、連続した前記ウォブル基準信号の周期ごとに比較して、前記比較結果判定部の出力する判定結果が一時的なものか連続的なものかを判定する連続状態判定部を備えた構成としたから、データ未記録領域の検出の際に、比較結果判定部の判定結果の一時的な乱れによる判定の誤りを軽減して、より精度の高いデータ未記録領域の検出を行うことができ、データ未記録領域の検出に基づいてデータ同期クロックの生成を制御することにより、光ピックアップによる情報の読み出し位置がデータ未記録領域とデータ記録済み領域との間で移動した時に、速やかにデータ同期クロックの生成を制御することができる。
【００５４】
また、この発明（請求項３）によれば、請求項１または２に記載の光ディスク装置において、前記第１のウォブル周期カウント部の出力するカウント値を、連続した前記ウォブル基準信号の周期ごとに比較して、ウォブル基準信号の変動を検出するウォブル周期判定部を備えた構成としたから、データ未記録領域の検出の際に、ウォブル基準信号の乱れによる判定の誤りを軽減して、より精度の高い検出を行うことができ、データ未記録領域の検出に基づいてデータ同期クロックの生成を制御をすることにより、光ピックアップによる情報の読み出し位置がデータ未記録領域とデータ記録済み領域との間で移動した時に、速やかにデータ同期クロックの生成を制御することができる。
【００５５】
また、この発明（請求項４）によれば、請求項１ないし３のいずれかに記載の光ディスク装置において、光ディスクから得られるデータから同期コードを検出する同期コード検出部と、該同期コード検出部で検出された同期コードが一定のデータ長毎に入力されているか否かを前記データ同期クロックを用いて検出し、同期コードが一定のデータ長毎に入力されている場合は、データが記録されている領域から信号が読み出されていることを示す検出結果を出力し、同期コードが一定のデータ長ごとに入力されていない場合は、データが記録されていない領域から信号が読み出されていることを示す検出結果を出力するデータ同期状態検出部とを備えた構成としたから、データ未記録領域の検出の際に、光ディスクから読み出した信号から同期コードが周期的に検出されるか否かに基づいて、光ピックアップにより情報が読み出されている領域がデータ記録済み領域であるかデータ未記録領域であるかを判定するため、より精度の高いデータ未記録領域の検出を行うことができ、データ未記録領域の検出に基づいてデータ同期クロックの生成を制御することにより、光ピックアップによる情報の読み出し位置がデータ未記録領域とデータ記録済み領域との間で移動した時に、速やかにデータ同期クロックの生成を制御することができる。
【図面の簡単な説明】
【図１】本発明の実施の形態１に係る光ディスク装置のクロック制御装置の構成を示すブロック図である。
【図２】本発明の実施の形態２に係る光ディスク装置のクロック制御装置の構成を示すブロック図である。
【図３】本発明の実施の形態３に係る光ディスク装置のクロック制御装置の構成を示すブロック図である。
【図４】本発明の実施の形態４に係る光ディスク装置のクロック制御装置の構成を示すブロック図である。
【図５】本発明の実施の形態５に係る光ディスク装置のクロック制御装置の構成を示すブロック図である。
【図６】従来の光ディスク装置の構成を示すブロック図である。
【図７】従来のＰＬＬ回路従来の光ディスク装置の構成を示すブロック図である。
【図８】本発明の実施の形態１に係る光ディスク装置のクロック制御装置の動作を説明するための図である。
【図９】本発明の実施の形態２に係る光ディスク装置のクロック制御装置の動作を説明するための図である。
【図１０】本発明の実施の形態３に係る光ディスク装置のクロック制御装置の動作を説明するための図である。
【図１１】本発明の実施の形態４に係る光ディスク装置のクロック制御装置の動作を説明するための図である。
【図１２】本発明の実施の形態５に係る光ディスク装置のクロック制御装置の動作を説明するための図である。
【図１３】本発明の実施の形態１ないし実施の形態５に係る光ディスク装置の構成を示すブロック図である。
【図１４】本発明の実施の形態１ないし実施の形態５に係る光ディスク装置のＰＬＬ回路の構成を示すブロック図である。
【符号の説明】
７０１  ウォブル基準信号生成装置
７０２  第１のウォブル周期カウント装置
７０３  第２のウォブル周期カウント装置
７０４  カウント値比較装置
７０５  連続状態判定装置
７０６  ウォブル周期判定装置
７０７  データ読み取り装置
７０８  データ同期状態検出装置
７１０  比較結果判定装置
【図１】
0003619509.tif 000002
【図２】
0003619509.tif 000003
【図３】
0003619509.tif 000004
【図４】
0003619509.tif 000005
【図５】
0003619509.tif 000006
【図６】
0003619509.tif 000007
【図７】
0003619509.tif 000008
【図８】
0003619509.tif 000009
【図９】
0003619509.tif 000010
【図１０】
0003619509.tif 000011
【図１１】
0003619509.tif 000012
【図１２】
0003619509.tif 000013
【図１３】
0003619509.tif 000014
【図１４】
0003619509.tif 000015